(57)【要約】【課題】カードを送付する際に、宛名と該カードと配達証とに夫々に記載された受取人の情報を照合する必要がなく、誤って異なる受取人情報を記載したカードや配達証とを送付してしまうことを防止し得る配達証付きカード送付封筒を提供する。【解決手段】複数の矩形状紙片１１，１２，１３を備えた封筒基材２を折り線１５，１６で折り返して接着した封筒であって、封筒裏表紙となる矩形状紙片１３により構成したカード付き帳票が、易切断線４１により囲繞したカード部４０を備えると共に、該カード付き帳票の裏面に接着した配達証付き被覆ラベル２１が、易切断線３２，３３により囲繞した配達証部３０，３１と前記カード部４０を被覆する隠匿部３８とを備えてなり、カード部４０および配達証部３０，３１を夫々に剥離可能とした。【選択図】図２
2009051545.tif 000002
【特許請求の範囲】
【請求項１】
複数の矩形状紙片が折り線を介して連成された封筒基材を、該折り線で折り返して互いに対向する矩形状紙片同士を接着してなる封筒であって、
封筒裏表紙となる矩形状紙片により構成されてなり、その内面に所望のカード内容が印字された、易切断線により囲繞されたカード部を有するカード付き帳票と、
外面に所望の配達記録内容が印刷された、易切断線により囲繞された配達証部と、前記カード付き帳票のカード部を裏側から被覆する隠匿部とが設けられた、カード付き帳票の裏面に接着された配達証付き被覆ラベルと
を備えてなり、
前記カード付き帳票のカード部をその易切断線に従って剥離可能とすると共に、配達証付き被覆ラベルの配達証部をその易切断線に従って剥離可能とするものであることを特徴とする配達証付きカード送付封筒。
【請求項２】
配達証付き被覆ラベルは、外面に所望の配達記録内容が印字された配達証部とカード付き帳票のカード部を裏側から被覆する隠匿部とを有するラベル主体層と、該ラベル主体層の内面に剥離可能に疑似接着された離型層とが積層されてなり、
配達証部を囲繞する易切断線が、ラベル主体層に形成されていると共に、カード付き帳票のカード部を囲繞する易切断線が、該カード付き帳票から離型層に至るように形成されていることを特徴とする請求項１に記載の配達証付きカード送付封筒。
【請求項３】
矩形状紙片は、その四六判の一連重量が１１０ｋｇ以上であるとしたものである請求項１又は請求項２に記載の配達証付きカード送付封筒。
【発明の詳細な説明】
【技術分野】
【０００１】
本発明は、配達証の付いた封筒であって、カードを送付するための配達証付きカード送付封筒に関する。
【背景技術】
【０００２】
例えば書留郵便物などには、当該郵便物を受取人に送達したことを確認するために、配達記録を印字した配達証が貼付されている。そして、郵便物を届けた際に、配達証に受領印を受けて取り外し、この配達証により配達確認を得るようにしている。例えば、所定のカードを送付するために配達証付きの郵便物（封筒）が利用されている。この場合には、カードを添付した帳票に受取人の宛名を記載し、当該帳票を窓付き封筒に封入して封緘し、帳票に記載した宛先を封筒の窓から表出する。そして、封筒の窓から表出している受取人の宛先に従って、配達証に受取人の情報（例えば、氏名や住所）を記入し、当該配達証を封筒裏面に貼り付けて郵送するようにしている。
【０００３】
ここで、配達証に受取人の情報を記載する際には、封筒表面を確認する必要があり、この配達証を貼付する際には、封筒を裏返して封筒裏面を向けねばならない。そのため、配達証と封筒とは別体であることが一般的であり、配達証を封筒と別に製造して、その保管や管理を行う必要がある。さらに、配達証に受取人の情報を記載する作業と、記載後に封筒裏面に貼り付ける作業との間には、封筒を裏返す作業を要することから、作業工程が繁雑化してしまう。また、この配達証付きの封筒を多数の受取人に夫々送付する必要がある場合には、作業効率を向上させるために、封筒を封緘する作業と配達証に受取人情報を記載する作業とを平行して実施し、封筒の宛名と配達証の受取人とを照合して、配達証を貼り付ける作業を実施する。しかし、この作業工程では、配達証を貼り付ける際に、封筒の宛先と異なる受取人情報が記載された配達証を貼り付けてしまうという照合ミスを生じ易いという問題がある。
【０００４】
ところで、所定のカードを送付するための封筒としては、例えば特許文献１に、宛先を表出する宛先窓が設けられた封筒表紙片と、配達証を貼付した封筒裏表紙片と、カードの収納部が設けられた帳票用の紙片とを連設すると共に、配達証の受取人情報記載欄および帳票の受取人情報記載欄とを同一側に設けるようにした構成が提案されている。そして、かかる構成にあっては、配達証と帳票の各受取人情報記載欄に記載した後に、帳票用の紙片を切断し、封筒表紙と封筒裏表紙とにより封筒形態を形成して、カードを収納した帳票を封入して封緘する。ここで、この帳票は、その受取人情報記載欄に記載した宛先が、封筒表紙の宛先窓から表出するように、封入される。この特許文献１の構成では、封筒を構成する封筒表紙片と封筒裏表紙片、および帳票用の紙片とが連設されていることから、封筒と配達証と帳票とを一体物として保管や管理することができるという利点を有する。また、配達証と帳票とに記載される受取人情報が同じであることを容易かつ確実に確認することができる。そして、配達証が貼付された状態の封筒に、カードを添付した帳票を封入することから、上記した照合ミスの発生を防止する効果も奏する。
【０００５】
一方、例えば特許文献２，３には、配達証付きの封筒として、封筒を構成する紙片と配達証を分離可能に設けた紙片とを連設し、これら紙片を折り畳むことにより所望の封筒をなす構成が提案されている。かかる構成にあっては、封筒に配達証を一体的に設けたものであることから、封筒と配達証とを一体物として管理できると共に、上記した照合ミスの発生を防止する効果を奏する。
【特許文献１】特許２９７６１８６号公報
【特許文献２】特開２００１−５５２３９号公報
【特許文献３】特開２００６−２４８５９７号公報
【発明の開示】
【発明が解決しようとする課題】
【０００６】
ところで、上記した特許文献１の構成にあっては、帳票用の紙片と配達証とに受取人情報を記載した後に、帳票用の紙片を一旦切断分離しなければならない。その後、当該帳票に所定のカードを収納する作業が実施されると共に、封筒表紙片と配達証が貼付された封筒裏表紙片とにより封筒を形成する作業が実施され、両作業が夫々別々に行われる。そして、封筒とカードを収納した帳票とを照合し、封筒に帳票を封入し封緘する。このように帳票と封筒（配達証）とを一旦分離した後に封入するという作業工程を要することから、帳票と配達証が設けられている封筒とを照合して封入する際に、照合ミスを生じ易いという問題がある。また、特許文献１の構成では、帳票に設けられた収納部にカードを差し込む作業や、当該帳票を封筒に封入する作業を要し、これら作業は通常、作業者の手作業で実施される。そのため、作業工程の繁雑化や当該作業に要するコストが増大する要因ともなる。さらには、作業者による手作業では、該作業者のスキルに応じて前記した照合ミスを生じることともなるため、照合ミスを防止するには限界がある。
【０００７】
一方、上記した特許文献２，３にあっては、カードの送付について何ら記載されていない。仮に、これら構成の封筒を利用してカードを送付するためには、該カードを収納した帳票を封入することを要する。そのため、上記した特許文献１と同様に、帳票（又はカード）に記載した受取人情報と、封筒表紙の宛名および配達証に記載した受取人情報とを照合する際に、照合ミスを生じ易い。特に、帳票の封入作業は、通常、作業者の手作業で実施することとなるため、このような照合ミスを防止するには限界がある。
【０００８】
本発明は、所望のカードを送るための配達証付き封筒であって、封筒表面の宛名と、封筒裏面に設けられる配達証と、封入されるカード付き帳票との照合ミスを防ぎ得る配達証付きカード送付封筒を提案するものである。
【課題を解決するための手段】
【０００９】
本発明は、複数の矩形状紙片が折り線を介して連成された封筒基材を、該折り線で折り返して互いに対向する矩形状紙片同士を接着してなる封筒であって、封筒裏表紙となる矩形状紙片により構成されてなり、その内面に所望のカード内容が印字された、易切断線により囲繞されたカード部を有するカード付き帳票と、外面に所望の配達記録内容が印刷された、易切断線により囲繞された配達証部と、前記カード付き帳票のカード部を裏側から被覆する隠匿部とが設けられた、カード付き帳票の裏面に接着された配達証付き被覆ラベルとを備えてなり、前記カード付き帳票のカード部をその易切断線に従って剥離可能とすると共に、配達証付き被覆ラベルの配達証部をその易切断線に従って剥離可能とするものであることを特徴とする配達証付きカード送付封筒である。ここで、カード付き帳票を構成する矩形状紙片の内面とは、封筒の状態で封筒内部となる紙面であり、裏面の背面である。また、配達証付き被覆ラベルの外面とは、封筒の状態で外側を向く面である。
【００１０】
かかる構成にあっては、封筒裏表紙をなす矩形状紙片によりカード付き帳票を構成して、該カード付き帳票のカード部を剥離することにより所望のカードを得ると共に、当該カード付き帳票の裏面に接着された配達証付き被覆ラベルの配達証部を剥離することにより配達証を得ることができるものである。そして、複数の矩形状紙片を折り返して封筒形態を形成する際に、カード付き帳票や配達証付き被覆ラベルを分離することがなく、カード部を設けたカード付き帳票と配達証部を設けた配達証付き被覆ラベルとを一体としたまま、封筒を成して封緘することができる。そのため、上述した従来構成と異なり、所望のカードを帳票に収納したり、当該帳票を封入する作業を要せず、帳票と封筒に貼り付ける配達証とを照合する作業も必要としない。したがって、封入したカードやその帳票と異なる受取人情報が記載された配達証を貼付してしまうという照合ミスや、宛先や配達証と異なる受取人情報が記載されたカードやその帳票を封入してしまうという照合ミスを生じず、封筒表紙の宛名、カード付き帳票、配達証に同一受取人の情報が夫々記載されたものとなる。
【００１１】
ここで、カード付き帳票のカード部は、その裏側から配達証付き被覆ラベルの隠匿部により被覆されており、外部から保護されている。すなわち、本構成は、受取人への送付対象であるカード部を、封筒内部に封入して封緘している状態と同様の状態で、受取人へ送ることができる。そして、受取人に送達した際には、配達証部を剥離して配達証として得ると共に、受取人が開封してカード部を剥離することにより所望のカードを受け取ることとなる。
【００１２】
また、本構成にあって、各矩形状紙片は、互いに対向するもの同士を、折り線を除く三辺に沿って接着して、封入可能な内封域を有する封筒構成とすることができる。この場合には、先ず二辺を接着した後に、所定の封入物を内封域に封入して残り一辺を接着するようにしても良し、または、三辺を一度に接着し、内封域には何も封入しないようにしても良い。尚、両者の場合とも、カード部を、その対向する矩形状紙片と接着しない構成とすることを要する。一方、本構成にあっては、各矩形状紙片の互いに対向するもの同士を、その全面で剥離可能に疑似接着した構成とすることもできる。これらいずれの構成にあっても、矩形状紙片を折り返した後に、厚み方向に加圧することにより接着でき、封筒形態とし且つ封緘することができるため、この作業を所定の加圧装置などにより実施することが可能である。そのため、作業者の手作業による工程を低減でき、作業コストや作業時間を短縮できるという利点も生じ得る。特に、所定の封入物を封入しないものとすれば、作業者の手作業を一層少なくでき、封緘作業の自動化を進めることができ得る。
【００１３】
また、本構成にあっては、封筒基材の状態で、そのカード部や配達証部に所定の内容を印字し、封筒表紙となる矩形状紙片に宛名を印字する。例えば、所定のプリンタを用いて封筒基材の表裏面に所定の内容を印字することができる。そのため、本発明の配達証付きカード送付封筒は、封筒基材を所定のプリンタにより印字した後、折り線で折り返して、上記した加圧装置により圧着することにより製造することができ、総じて製造工程に要する手作業を少なくすることができる。
【００１４】
また、本発明にあって、封筒基材としては、二枚の矩形状紙片が折り線を介して連成してなり、一方を封筒裏表紙となるカード送付帳票とし且つ他方を封筒表紙とする構成である、いわゆる二つ折り封筒とすることができる。又は、封筒基材として、三枚の矩形状紙片を連成してなる構成とし、いわゆる三つ折り封筒としても良い。このように封筒基材を構成する矩形状紙片の数は、適宜設定することができ得る。
【００１５】
また、本発明にあって、配達証付き被覆ラベルは、配達証部を一箇所設ける構成だけでなく、配達証部を二箇所並設し、その一方を控えの配達証部とした構成とすることもでき得る。
【００１６】
上述した配達証付きカード送付封筒にあって、配達証付き被覆ラベルは、外面に所望の配達記録内容が印字された配達証部とカード付き帳票のカード部を裏側から被覆する隠匿部とを有するラベル主体層と、該ラベル主体層の内面に剥離可能に疑似接着された離型層とが積層されてなり、配達証部を囲繞する易切断線が、ラベル主体層に形成されていると共に、カード付き帳票のカード部を囲繞する易切断線が、該カード付き帳票から離型層に至るように形成されている構成が提案される。
【００１７】
かかる構成にあっては、カード付き帳票のカード部を、配達証付き被覆ラベルのラベル主体層から比較的容易に引き剥がすことができ、所望のカードとして用いることができると共に、配達証付き被覆ラベルの配達証部を、離型層から比較的容易に引き剥がすことができ、所望の配達証として用いることができる。また、カード付き帳票のカード部は、配達証付き被覆ラベルのラベル主体層と一体的に剥離できないことから、封筒の状態では外部から分離することができず、隠匿部より保護される。尚、同様に、配達証部を引き剥がして分離しても、カード付き帳票に影響が及ばない。
【００１８】
ここで、離型層としては、離型性を有する材料からなる離型フィルムが好適に用いられる。この離型フィルムとしては、ポリエチレンテレフタレート製のものが好ましい。
【００１９】
上述したラベル主体層としては、例えば、所定の紙基材からなるものとし、該紙基材の内面に離型層が直接的に疑似接着されるものとすることができる。また、ラベル主体層は、例えば、所定の紙基材と、その内面に所定の離型材を塗工してなる構成とし、該離型材を塗工した面に離型層が疑似接着されるものとすることもできる。
【００２０】
上述した配達証付きカード送付封筒にあって、矩形状紙片は、その四六判の一連重量が１１０ｋｇ以上であるとしたものである構成が提案される。
【００２１】
ここで、四六判の一連重量とは、四六判である１０９１ｍｍ×７８８ｍｍサイズの用紙を１０００枚（一連）積んだ状態での重量であり、四六連量とも呼ばれる。そして、この四六連量が重くなるに従って、矩形状紙片として剛性や強度が大きくなる。
【００２２】
本発明にあっては、封筒裏表紙となる矩形状紙片によりカード付き帳票が構成され、カード部を形成するものであるから、当該カード部を分離して所望のカードとして使用する際に、当該カードは充分な強さを有することが求められる。そのため、カード付き帳票の四六連量を１１０ｋｇ以上とすることにより、そのカード部を分離してなるカードとして、充分な強さと耐久性とを有し、比較的長期に渡って使用できる。
【００２３】
尚、四六連量が１１０ｋｇより小さくなると、カードとして使用する際に使用者が貧弱な印象を受け易くなる。そして、剛性や強度が小さくなると、カードとしての耐久性が低くなってしまうという問題も生じる。また、本構成にあって、四六連量が３００ｋｇ以下である構成が好適に用い得る。３００ｋｇより大きいと、当該カードの重量感を使用者が感じ易くなるため、カードとして使い難いという印象を与えてしまい易い。また、四六連量が大きくなれば、板厚が増加する傾向を示すため、これによっても使い難いという印象を与えてしまうことが懸念される。さらにまた、四六連量が増加すれば、それに伴って材料コストと製造コストが増加するという問題も生じる。
【発明の効果】
【００２４】
本発明は、上述したように、複数の矩形状紙片を備えた封筒基材を折り線で折り返して接着した封筒であって、封筒裏表紙となる矩形状紙片により構成したカード付き帳票が、易切断線により囲繞したカード部を備えると共に、該カード付き帳票の裏面に接着した配達証付き被覆ラベルが、易切断線により囲繞した配達証部と前記カード部を被覆する隠匿部とを備えてなり、カード部および配達証部を夫々に剥離可能としたものであるから、封筒基材を封緘するまでの過程で、封筒表紙となる矩形状紙片、カード付き帳票、配達証付きラベルを分離することがなく、夫々に同一の受取人情報が記載されたままの状態で封緘することができる。そのため、上述した従来構成のように、夫々に異なる受取人情報が記載されたカード（およびその帳票）と配達証とを同一の封筒に添付してしまうという照合ミスを生じない。また、カード付き帳票のカード部は、配達証付き被覆ラベルの隠匿部により被覆していることから、受取人に送達するまで当該カード部を保護することができる。さらには、配達証付き被覆ラベルを接着した封筒基材の表裏に所定情報を印刷する作業を所定のプリンタなどにより実施できること、および該封筒基材を折り畳んで接着する作業を所定の加圧装置などにより実施できることから、当該配達証付きカード送付封筒を得るまでの作業工程にあって、作業者の手作業による工程を少なくできるため、作業コストや作業時間を短縮できるという利点も生じ得る。
【００２５】
ここで、上記した配達証付き被覆ラベルが、配達証部と隠匿部とを有するラベル主体層と、該ラベル主体層の内面に疑似接着した離型層とを積層してなり、配達証部の易切断線をラベル主体層に形成すると共に、カード部の易切断線をカード付き帳票から離型層に至るように形成した構成である場合には、配達証部を比較的容易に剥離して配達証とし、カード部を比較的容易に剥離してカードとして用いることができるものとなる。また、カード部がラベル主体層の隠匿部により保護され、外部から取り外すことができないことから、所望のカードを確実に保護して受取人に送達でき得る。したがって、上述した本発明の作用効果を一層適正に発揮することができる。
【００２６】
また、上記した矩形状紙片は、その四六判の一連重量が１１０ｋｇ以上であるとしたものである構成とした場合には、カード付き帳票に設けられたカード部を剥離してなるカードが、カードとしての充分な強さと耐久性を有し、比較的長期に渡って使用できるものとなる。
【発明を実施するための最良の形態】
【００２７】
本発明の実施例を添付図面を用いて説明する。
図１は、本発明にかかる配達証付きカード送付封筒１（図５，６参照）を成形する封筒基材２の正面図であり、図２がその背面図である。尚、図１，２は、正面図と背面図であるから、封筒基材２の左右が逆に表示されている。
【００２８】
図１，２のように、封筒基材２は、三枚の矩形状紙片１１，１２，１３が折り線１５，１６を介して連成されている。そして、本実施例にあっては、図１のように、正面視左側から、封筒表紙となる矩形状紙片１１、封筒の中間紙となる矩形状紙片１２、封筒裏表紙となる矩形状紙片１３とが並設されている。
【００２９】
上述した封筒基材２にあって、矩形状紙片１１の左側および矩形状紙片１３の右側には、紙送り片５１，５１が易切断線５３，５３を介して連成されており、各紙送り片５１，５１に、易切断線５３，５３に沿って複数の送り孔５２が列設されている。この紙送り片５１，５１は、所定のプリンタにより封筒基材２を印刷する際に、当該封筒基材２を搬送するために用いられる。
【００３０】
尚、封筒基材２にあって、折り線１５，１６（および易切断線５３，５３）に沿った方向を紙片縦方向とし、該紙片縦方向に直交する方向を紙片横方向として扱う。すなわち、封筒基材２は、上記したプリンタで印刷する際に、紙片縦方向に搬送される。
【００３１】
上記した封筒基材２は、四六判の一連（１０００枚）重量が１１０ｋｇ以上の紙であり、本実施例にあっては、四六連量が約１５０ｋｇの上質紙である。これにより、後述するように、矩形状紙片１３のカード部４０を引き剥がしてなるカードａが、充分な剛性と強度とを有し、しっかりとしているという印象を使用者に与えることができ得る。
【００３２】
一方、封筒基材２の、封筒裏表紙となる矩形状紙片１３には、図２のように、その背面に配達証付き被覆ラベル２１が接着されている。この配達証付き被覆ラベル２１は、矩形状紙片１３の紙片横方向長さより若干短尺であり、且つ矩形状紙片１３の紙片縦方向に比較的長い寸法とした矩形状となっている。この配達証付き被覆ラベル２１により、矩形状紙片１３の背面の比較的広範囲を被覆している。尚、本実施例にあって、配達証付き被覆ラベル２１は、その四角を曲線形状としている。
【００３３】
配達証付き被覆ラベル２１は、図３のように、所定厚みの紙片からなるラベル紙基材２２ａと、該ラベル紙基材２２ａの内面全域にポリエチレン樹脂を塗工してなる塗面部２２ｂとからなるラベル主体層２２を備えている。そして、このラベル主体層２２の塗面部２２ｂに剥離可能に疑似接着されたポリエチレンテレフタレート製の離型フィルムからなる離型層２４が積層されてなる。さらに、この離型層２４の、塗面部２２ｂと疑似接着した面の反対面には、所定の粘着剤が塗布されてなる粘着剤層２５が積層されている。ここで、離型層２４とラベル主体層２２の塗面部２２ｂとの間には両者を疑似接着した疑似接着面部２６が形成されており、ラベル主体層２２の塗面部２２ｂと離型層２４とは疑似接着面部２６を境界として剥離可能である。この疑似接着する構成は、従来と同様に得ることができるものであり、その詳細については省略する。このような配達証付き被覆ラベル２１は、粘着剤層２５が矩形状紙片１３の背面に圧着されている。そして、本実施例にあって、配達証付き被覆ラベル２１は、上記した各層２２，２４，２５がその平面方向でほぼ均一に積層されており、平面方向でほぼ均等な厚みとなっている。尚ここで、配達証付き被覆ラベル２１の各層の内面とは、当該配達証付き被覆ラベル２１が接着された状態で、矩形状紙片１３の方向を向く面である。
【００３４】
配達証付き被覆ラベル２１のラベル主体層２２の外面には、図２のように、所定の配達記録内容が印刷された配達証部３０，３１が紙片縦方向に列んで設けられている。そして、図３（Ａ）のように、該配達証部３０，３１を夫々に囲繞するように、当該ラベル主体層２２のラベル紙基材２２ａから塗面部２２ｂに至る易切断線３２，３３が形成されている。すなわち、この配達証部３０，３１は、図７（Ａ）のように、易切断線３２，３３により離型層２４から引き剥がすことができ、当該配達証付きカード送付封筒１から分離することができる。このように分離された配達証部３０，３１が、配達証ｂ、ｃである。
【００３５】
この配達証部３０，３１には、配達記録内容として、受取人の住所や氏名、送達日付、引受番号を示すバーコードなどが印刷される。さらには、受領印を押印するためにスペースも設けられている。そして、配達証部３１は、配達証部３０の控えとして、同様の配達記録内容が印刷されている。すなわち、当該配達証付きカード送付封筒１を受取人に送達した際に、配達した者が配達証部３０を分離して配達証ｂを得る。そして、控えの配達証部３１を分離して、受取人の控えとしての配達証ｃとする。
【００３６】
さらに、配達証付き被覆ラベル２１には、配達証部３０，３１を形成していない領域が、紙片縦方向の下部に設けられている。この領域が接着されている矩形状紙片１３の部位には、図１のように、その正面に所定のカード内容が印刷されたカード部４０が設けられている。そして、図３（Ｂ）のように、このカード部４０を囲繞するように、矩形状紙片１３から粘着剤層２５を介して離型層２４に至る易切断線４２が形成されている。すなわち、このカード部４０は、図７（Ｂ）のように、易切断線４２によりラベル主体層２２から引き剥がすことができ、当該配達証付きカード送付封筒１から分離することができる。このように分離されたカード部４０が、カードａである。このカードａは、上述したように四六連量が１５０ｋｇである矩形状紙片１３から分離したものであるから、適当な強度と剛性を有し、カードとして使い易くなっている。
【００３７】
ここで、矩形状紙片１３のカード部４０は、配達証付き被覆ラベル２１によってその背面側から被覆されている。そして、配達証付き被覆ラベル２１の、カード部４０を被覆する部位が、本発明にかかる隠匿部３８であり、該配達証付き被覆ラベル２１を構成するラベル主体層２２の、配達証部３０，３１の下方領域により構成されている。すなわち、この矩形状紙片１３のカード部４０は、該矩形状紙片１３が封筒裏表紙となることから、配達証付き被覆ラベル２１の隠匿部３８によって、封緘された状態で隠匿されて保護されている。
【００３８】
このカード部４０を設けた矩形状紙片１３により、本発明にかかるカード付き帳票が構成されている。すなわち、矩形状紙片１３の背面には、受取人の所定情報などが印字される。
【００３９】
このように配達証付き被覆ラベル２１を背面に接着した矩形状紙片１３を備えた封筒基材２にあっては、封筒表紙となる矩形状紙片１１の正面に、受取人の宛名などを印刷する。さらには、この矩形状紙片１１の背面、封筒中間紙となる矩形状紙片１２の両面に所定の情報を印刷する。この印刷には、ＮＩＰなどのプリンタを用いる。このような矩形状紙片１１，１２，１３および配達証付き被覆ラベル２１毎に所定情報を印刷する際には、プリンタに紙送り片５１，５１をセットし、当該封筒基材２を搬送することにより、印刷実行する。このプリンタにより印刷を行うことにより、上述したカード部４０および配達証部３０，３１、さらに封筒基材２の正面と背面とに所定内容を夫々印刷する。ここで、封筒基材２の各矩形状紙片１１，１２，１３に夫々印刷する内容を予め設定しておくことにより、受取人情報を含む所望の印刷内容を正確かつ安定して印刷することができ得る。
【００４０】
一方、封筒基材２は、図１のように、矩形状紙片１２，１３の正面に、該矩形状紙片１２，１３を連成する折り線１６の他の三辺に沿って接着材が塗布された細幅状の接着部１７が設けられている。尚、この接着部１７は、矩形状紙片１３のカード部４０上に設けないようにしている。同様に、図２のように、矩形状紙片１１，１２の背面に、該矩形状紙片１１，１２を連成する折り線１５を除く他の三辺に沿って接着材が塗布された細幅状の接着部１８が設けられている。
【００４１】
このような封筒基材２を、図４のように、矩形状紙片１１の背面と矩形状紙片１２と背面とが対面するように折り線１５で折り返すと共に、矩形状紙片１２の正面と矩形状紙片１３の正面とが対面するように折り線１６で折り返すようにして、Ｚ字状に折り畳む。尚、紙送り片５１，５１は、易切断線５３，５３で適宜分断する。このようにＺ字状に折り畳んだ後に、所定の加圧装置（図示省略）により厚み方向に加圧して、各矩形状紙片１１，１２，１３の接着部１７，１８を圧着する。これにより、矩形状紙片１１が封筒表紙となって封筒表面に宛名が表出し、矩形状紙片１３が封筒裏表紙となって封筒裏面に配達証付き被覆ラベル２１が存在し、さらに、矩形状紙片（カード付き帳票）１３のカード部４０が内封された形態となる、本発明にかかる配達証付きカード送付封筒１を得る。
【００４２】
尚ここで、封筒表紙となる矩形状紙片１１の正面が、封筒の表面となり、封筒裏表紙となる矩形状紙片（カード付き帳票）１３の背面が、封筒の裏面となる。そして、この矩形状紙片（カード付き帳票）１３の正面が、封筒の内部に配される内面となる。
【００４３】
Ｚ字状に折り畳んだ封筒基材２を圧着する加圧装置（図示省略）としては、例えば、互いに平行に設けられた圧着ロールを同速度で逆回転させ、この圧着ロール間に当該封筒基材２を通過させることにより、加圧して圧着するものである。ここで、圧着ロール間を所定間隔に保持することにより加圧できる。このような加圧装置としては、紙片やフィルムなどをその厚み方向に加圧する従来構成のものを用いることができ、その詳細については省略する。この加圧装置を用いて、その圧着ロール間に、Ｚ字状に折り畳んだ封筒基材２を、その紙片横方向に沿って通過させる。これにより、封筒基材２を、圧着ロールにより厚み方向に加圧し、上記した接着部１７，１８が圧着することから、矩形状紙片１１，１２が接着し且つ矩形状紙片１２，１３が接着して、配達証付きカード送付封筒１となる。
【００４４】
尚ここで、上記した加圧装置では、封筒基材２が紙片横方向に圧着ロール間を通過していく過程で、該圧着ロールと平行となる紙片縦方向に沿って加圧される。そして、配達証付き被覆ラベル２１は、上述したように、その厚みが平面方向でほぼ均等であり、且つ紙片縦方向で比較的長尺な寸法形状となっていることから、Ｚ字状に折り畳んだ封筒基材２は、その紙片縦方向の広範囲で厚みが等しくなっている。これにより、加圧装置の圧着ロール間で、封筒基材２をその紙片縦方向に沿ってほぼ同等に加圧することができるため、各接着部１７，１８をほぼ一様に圧着することができ得る。本実施例にあっては、Ｚ字状に折り畳んだ封筒基材２を、その紙片横方向に沿って加圧装置の圧着ロール間を通過するようにしているが、紙片縦方向に沿って通過させるようにしても同様の作用効果を得られる。このように、配達証付き被覆ラベル２１を、上記した加圧装置を用いる場合、その圧着ロール間への進入方向と直交する方向で長尺な寸法形状とすることにより、Ｚ字状とした封筒基材２に、圧着ロールによる加圧力をほぼ一様に負荷することができ得る。尚、配達証付き被覆ラベルを、圧着ロールへの進入方向と直交する方向で矩形状紙片１３と等しい寸法形状すれば、前記作用効果が最も発揮される。
【００４５】
さらにまた、配達証付き被覆ラベル２１は、上述したように、その四角を曲線形状としていることから、上記した加圧装置の圧着ロール間を通過する際に、剥がれや破れなどが生じてしまうことを低減でき得る。
【００４６】
このような配達証付きカード送付封筒１にあっては、封筒基材２の矩形状紙片１３の背面（裏面）に配達証付き被覆ラベル２１を接着し、所定のプリンタにより、宛名、カード内容、配達記録内容を印刷した後、Ｚ字状に折り畳んで接着して封緘してなるものである。そのため、封筒形態に形成する過程で、宛名を印字した矩形状紙片１１、カード内容を印字した矩形状紙片（カード付き帳票）１３，配達記録内容を印字した配達証付き被覆ラベル２１を、分離することがない。すなわち、宛名、カード内容、配達記録内容を照合する必要がない。したがって、配達証付きカード送付封筒１は、上述した従来構成のように、異なる受取人情報が夫々記載されたカード（帳票）と配達証とを同一封筒に取り付けてしまうという照合ミスを生じず、所望のカードａを確実に受取人に送付でき、その際に当該受取人が受け取ったことを示す配達証ｂ，ｃにより配達記録を得ることができる。
【００４７】
また、上記の配達証付きカード送付封筒１にあっては、カード付き帳票を構成する矩形状紙片１３のカード部４０が、矩形状紙片１２と配達証付き被覆ラベル２１とにより挟まれて保護され、封筒外部から隠匿された状態となる。そのため、上述した従来構成の、封筒内にカードを収納した帳票を封緘するものと同様、受取人に送付するカードａの個人情報を保護することができる。また、上述した従来構成のように、帳票と別にカードを要せず、また、該カードを収納する帳票を要しない。そのため、カードや帳票を別々に製造するためのコストを削減することが可能である。
【００４８】
本実施例にあっては、上述したように、矩形状紙片１３に配達証付き被覆ラベル２１を接着した封筒基材２に、プリンタにより、宛名、矩形状紙片（カード付き帳票）１３や配達証部３０，３１に記載する受取人情報、その他の所定情報を印字している。このようにプリンタを用いることにより、印刷内容と印刷位置を、当該プリンタを制御処理するコンピュータなどにより予め設定しておくことにより、印刷に要する時間も短くでき、さらに、封筒基材２の両面に正確かつ安定して印刷することができる。また、印刷内容が多い場合や、印刷内容を適宜変更する場合にあっても、比較的容易に実施することができる。そして、複数の受取人情報を設定しておくことにより、順次連続して印刷することができる。尚、仮に、複数の封筒基材２に連続して印字している場合にあって、紙詰まりなどの不具合が発生しても、該不具合を解消後、コンピュータ制御処理を訂正処理することにより、その後の印刷を正確に実施することが可能である。本実施例では、プリンタによる印刷内容の誤処理がなければ、上述したように、封緘まで分離する作業がないことから、受取人情報が宛名、カードａ、配達証ｂ，ｃに正しく記載される。
【００４９】
また、本実施例にあっては、Ｚ字状に折り畳んだ封筒基材２を、所定の加圧装置により加圧することにより封緘している。これにより、比較的容易かつ短時間で封緘作業を実施可能である。
【００５０】
上記のように本実施例は、カード部４０を矩形状紙片（カード付き帳票）１３に設け、該矩形状紙片１３の背面（裏面）に配達証付き被覆ラベル２１を設けるようにした封筒基材２を、Ｚ字状に折り畳んで接着するようにした構成であるから、所定の情報を印字する印刷作業をプリンタにより実施でき、且つ封緘する作業を加圧装置により実施することができる。このように比較的購入し易いプリンタや加圧装置などを用いることにより、本実施例の配達証付きカード送付封筒１を製造することができる。そして、プリンタや加圧装置などを用いることにより、総じて封筒基材２から配達証付きカード送付封筒１を得るまでの作業工程に要する時間を短時間化でき、かつ製造コストを低減することができ得る。
【００５１】
尚ここで、封筒基材２の両面には、上記したようにプリンタによる印刷作業を実施していることから、所定の印刷内容を正確かつ安定して印刷でき、該封筒基材２を折り畳んで封緘するまでの作業工程で、宛名、カード部４０、配達証部３０，３１を照合する作業を要しない。しかし、これは、プリンタによる印刷が正常であることが前提である。仮に、プリンタを制御処理するコンピュータの操作ミス等があれば、受取人情報の異なる印刷を実施してしまうこともあり得る。そのため、製造現場にあっては、プリンタによる印刷作業後に、印刷ミスの有無をチェックする作業を実施することが好ましい。このようなチェック作業は、一封筒毎に実施しても良いし、プリンタの制御が正しいことを確認するだけであるから所定数毎に実施するようにしても良い。
【００５２】
上述した実施例にあっては、封筒基材２が三枚の矩形状紙片１１，１２，１３を連成してなるものであるが、その他の構成として、例えば、二枚の矩形状紙片を連成してなる封筒基材とすることもできる。この場合、一方の矩形状紙片が封筒表紙であり、他方が封筒裏表紙である。そして、この封筒基材にあっては、封筒裏表紙となる矩形状紙片の正面に、上述した実施例と同様の配達証付き被覆ラベルを接着し、当該矩形状紙片の背面にカード部を設ける。そして、両方の矩形状紙片を、その背面同士を対面するように折り返して接着することにより、配達証付きカード送付封筒を得る。この配達証付きカード送付封筒にあっても、上述した実施例と同様の作用効果を発揮することができる。
【００５３】
また、本実施例にあっては、配達証付き被覆ラベル２１に、配達証部３０，３１を二箇所設けた構成であるが、この配達証部を一箇所だけ設ける構成とすることも可能である。また、矩形状紙片（カード付き帳票）１３に設けるカード部４０にあっても、例えば、二箇所設け、受取人に二枚のカードを送ることも可能である。
【００５４】
一方、上述した実施例にあっては、配達証付き被覆ラベル２１を構成するラベル主体層２２を、ラベル紙基材２２ａの内面に離型材を塗工して塗面部２２ｂを有するものとした構成であるが、その他の構成として、例えば、ラベル紙基材のみからなる構成とすることもできる。かかる構成の場合には、ラベル主体層がラベル紙基材からなり、該ラベル紙基材の内面に離型層が直接疑似接着されることにより、配達証付き被覆ラベルが形成されている。そして、配達証部を囲繞する易切断線が、ラベル紙基材のみに形成される。この配達証付き被覆ラベルにあっても、矩形状紙片（カード付き帳票）の背面（裏面）に設けられて、上述した実施例と同様の作用効果を奏する。また、他の構成として、例えば、ラベル主体層は、ラベル紙基材の内面に、離型性を有するフィルム状の樹脂を密着してなる構成とし、ラベル紙基材とフィルム材とからなるものとすることもできる。
【００５５】
本発明は、上述した実施例の構成に限定されるものでなく、本発明の範囲内で適宜変更することは勿論可能である。
【図面の簡単な説明】
【００５６】
【図１】実施例の配達証付きカード送付封筒１を成形するための封筒基材２の正面図である。
【図２】同上の封筒基材２の背面図である。
【図３】同上の封筒基材２の（Ａ）図２のＬ−Ｌ断面図と、（Ｂ）図２のＭ−Ｍ断面図である。
【図４】同上の封筒基材２をＺ字状に折り返した状態を示す説明図である。
【図５】配達証付きカード送付封筒１の表側斜視図である。
【図６】同上の配達証付きカード送付封筒１の裏側斜視図である。
【図７】（Ａ）配達証付きカード送付封筒１から配達証ｂを分離した状態を説明する断面図と、（Ｂ）カード付き帳票（矩形状紙片）１３からカードａを分離した状態を説明する断面図である。
【符号の説明】
【００５７】
１  配達証付きカード送付封筒
２  封筒基材
１１，１２  矩形状紙片
１３  矩形状紙片（カード付き帳票）
２１  配達証付き被覆ラベル
２２  ラベル主体層
２４  離型層
３０，３１  配達証部
３２，３３  易切断線
３８  隠匿部
４０  カード部
４１  易切断線
【図１】
2009051545.tif 000003
【図２】
2009051545.tif 000004
【図３】
2009051545.tif 000005
【図４】
2009051545.tif 000006
【図５】
2009051545.tif 000007
【図６】
2009051545.tif 000008
【図７】
2009051545.tif 000009